(57)【要約】【課題】入力時の操作性が向上した入力補助器具を提供する。【解決手段】液晶表示装置１０に対し、その画像表示部１３に設けられた入力受付領域１３ａに対向して配置された入力操作部３２と、入力操作部３２を入力受付領域１３ａに対して接近及び離間可能に支持する支持部３２とを備える入力補助器具３０を装着した。この入力補助器具３０の入力操作部３２は、予め入力受付領域１３ａに対向しているので、入力時の操作性を向上させることができる。【選択図】図１
2007241367.tif 000002
【特許請求の範囲】
【請求項１】
画像表示装置の画像表示部に設けられた入力受付領域に対向して配置された入力操作部と、
前記入力操作部を前記入力受付領域に対して接近及び離間可能に支持する支持部と
を備える入力補助器具。
【請求項２】
請求項１に記載の入力補助器具において、
前記画像表示装置は、一方の面部に前記画像表示部を備え、
前記支持部は、前記画像表示装置の他方の面部及び側面部の少なくとも一方において前記画像表示装置に支持されること
を特徴とする入力補助器具。
【請求項３】
請求項１又は請求項２に記載の入力補助器具において、
前記支持部は、弾性を備えるとともに前記入力操作部と一体に形成されること
を特徴とする入力補助器具。
【請求項４】
請求項１から請求項３までのいずれか１項に記載の入力補助器具において、
前記入力受付領域が前記画像表示装置の前記画像表示部内に複数設けられ、
一部の前記入力受付領域に対向する位置と他部の前記受付入力領域に対向する位置との間における前記入力操作部の移動を案内する案内部を備えること
を特徴とする入力補助器具。
【請求項５】
請求項１から請求項４までのいずれか１項に記載の入力補助器具において、
前記入力操作部の前記画像表示部の縁部に対する距離を変化させる伸縮部を備えること
を特徴とする入力補助器具。
【発明の詳細な説明】
【技術分野】
【０００１】
本発明は、タッチパネル等のタッチ式入力装置の入力操作に使用する入力補助器具に関するものである。
【背景技術】
【０００２】
タッチパネル等のタッチ式入力装置は、例えば、液晶ディスプレイ等の画像表示装置の画像表示部に装着される。液晶ディスプレイは、画像表示部の一部の領域にボタン状に形成された入力受付用の画像（ボタンイメージ）を表示し、ユーザがこのボタンイメージにタッチするとタッチパネルがその位置を検出して入力操作が行われるようになっている。
このようなタッチパネル付の液晶ディスプレイは、例えば、ショッピングカートに搭載され、商品情報等を顧客に提示するシステムに使用されたものが知られている（例えば、特許文献１参照）。
【０００３】
ここで、タッチパネル用の入力補助器具は、従来、スタイラスペンが知られているが（例えば、特許文献２参照）、このスタイラスペンは、入力操作時にそのペン先をボタンイメージに対して位置合わせする必要があるため、入力操作が煩雑であるという問題があった。
【特許文献１】特開２００５−１０８１８０号公報
【特許文献２】特開平７−１３６９６号公報
【発明の開示】
【発明が解決しようとする課題】
【０００４】
本発明の課題は、入力時の操作性が向上した入力補助器具を提供することである。
【課題を解決するための手段】
【０００５】
本発明は、以下の解決手段により、前記課題を解決する。
請求項１の発明は、画像表示装置の画像表示部に設けられた入力受付領域に対向して配置された入力操作部と、前記入力操作部を前記入力受付領域に対して接近及び離間可能に支持する支持部とを備える入力補助器具である。
請求項２の発明は、請求項１に記載の入力補助器具において、前記画像表示装置は、一方の面部に前記画像表示部を備え、前記支持部は、前記画像表示装置の他方の面部及び側面部の少なくとも一方において前記画像表示装置に支持されることを特徴とする入力補助器具である。
請求項３の発明は、請求項１又は請求項２に記載の入力補助器具において、前記支持部は、弾性を備えるとともに前記入力操作部と一体に形成されることを特徴とする入力補助器具である。
【０００６】
請求項４の発明は、請求項１から請求項３までのいずれか１項に記載の入力補助器具において、前記入力受付領域が前記画像表示装置の前記画像表示部内に複数設けられ、一部の前記入力受付領域に対向する位置と他部の前記受付入力領域に対向する位置との間における前記入力操作部の移動を案内する案内部を備えることを特徴とする入力補助器具である。
請求項５の発明は、請求項１から請求項４までのいずれか１項に記載の入力補助器具において、前記入力操作部の前記画像表示部の縁部に対する距離を変化させる伸縮部を備えることを特徴とする入力補助器具である。
【発明の効果】
【０００７】
以上説明したように、本発明によれば、以下のような効果を得ることができる。
（１）入力操作部を予め入力受付領域に対向させた状態で画像表示装置に対して支持したから、入力時に入力操作部と入力受付領域との位置合わせをする必要がなく、入力時の操作性を向上することができる。
（２）複数の入力受付領域の間における入力操作部の移動を案内する案内部を設けたから、ひとつの入力操作部で複数の入力受付領域に対して入力操作を行うことができる。
（３）伸縮部を設けたから、入力受付領域を画像表示部の縁部からの距離が異なる位置に複数設けることができる。
【発明を実施するための最良の形態】
【０００８】
本発明は、入力時の操作性が向上した入力補助器具を提供するという課題を、弾性を有する板材を液晶ディスプレイの筐体部に装着するとともに、その一部を液晶ディスプレイに表示されたボタンイメージに予め対向させて配置することによって解決した。
【実施例１】
【０００９】
以下、図面を参照して、本発明を適用した入力補助器具の実施例１をあげて、さらに詳しく説明する。
実施例１の入力補助器具は、ショッピングカートに搭載された液晶ディスプレイ（画像表示装置）に装着されている。この液晶ディスプレイは、店舗内に設けられた無線ＬＡＮのアクセスポイントから発信された売場情報や商品情報をユーザ（消費者）に提示するシステムに用いられている。
図１は、実施例１の入力補助器具が装着された液晶ディスプレイを示す斜視図である。
図２は、図１の液晶ディスプレイの拡大図であり、（ａ）は側面図、（ｂ）は透視図である。
図３は、図１の入力補助器具を示す図であり、（ａ）は、側面図を示し、（ｂ）は図３（ａ）のｂ−ｂ矢視図を示し、（ｃ）は図３（ａ）のｃ−ｃ矢視図を示している。
【００１０】
この液晶ディスプレイ１０は、筐体部１１、枠部１２、画像表示部１３、タッチパネル１４を備えている。
筐体部１１は、例えば、合成樹脂材料によって平面形が略長方形の箱型に形成されており、通信部、記録部、後述する画像表示部１３及びタッチパネル１４、これらの各要素を統括的に制御する情報処理部等をその内部に収容している（画像表示部１３、タッチパネル１４以外は図示を省略する）。
【００１１】
この液晶ディスプレイ１０は、筐体部１１の長手方向が水平方向とされた横長の状態でショッピングカート２０へ装着される。以下、この状態を液晶ディスプレイ１０の通常使用時と称して説明する。筐体部１１は、この通常使用時における上下方向の側面部が曲面になっている（図２（ａ）参照）。
また、液晶ディスプレイ１０は、この通常使用時において、画像表示面が水平面に対して、例えば、略４５°の角度をなすようにショッピングカート２０に装着される。
枠部１２は、筐体部１１の一部であって、液晶ディスプレイ１０の通常使用時においてユーザと対向する側の面部（前面部）の周縁部に設けられ、筐体部１１の各辺に沿って延在する帯状の部分である。筐体部１１は、この枠部１２の内側の領域が平面視で略長方形状に開口している。
【００１２】
画像表示部１３は、公知の液晶パネルを備え、前述の筐体部１１に形成された略長方形状の開口にその画像表示面が露出するように筐体部１１内に配置されている。また、この液晶ディスプレイ１０は、画像表示部１３の画像表示面と筐体部１１の枠部１２との間に段差が形成されている（図２（ａ）参照）。
画像表示部１３は、その画像表示面に売場情報や商品情報と併せて複数のボタン状の画像（以下、「ボタンイメージ１３ａ」と称して説明する）を表示するようになっている。ボタンイメージ１３ａは、図１に示すように、画像表示部１３の画像表示面に設けられた矩形の領域であり、最もユーザ寄りの枠部１２の縁部に沿って、例えば、４つ配列されている。
【００１３】
タッチパネル１４は、略透明な材料によって形成された板材であり、画像表示部１３の画像表示面の全面に対して重ねて装着されている。このタッチパネル１４は、ユーザによってタッチ操作された部分の圧力の変化を検出してタッチ位置を特定するようになっている。液晶ディスプレイ１０は、ユーザによってボタンイメージ１３ａがタッチ操作されると、情報処理部がタッチパネル１４からの出力に応じてこのボタンイメージ１３ａ（押圧位置）に対して予め設定された処理（例えば、「次ページに進む」、「決定」等）を行うようになっており、ボタンイメージ１３ａは、入力受付領域として機能する。
【００１４】
入力補助器具３０は、画像表示部１３に表示されたひとつのボタンイメージ１３ａに対してひとつ設けられており、本実施例１においては、例えば、４つ設けられている（図１においては、そのうちの２つの図示を省略する）。
入力補助器具３０は、入力操作部３１、支持部３２、接触部３３を備えている。
入力操作部３１は、入力補助器具３０のうちユーザが入力操作を行う部分である。入力操作部３１は、合成樹脂材料によって平板状に形成された部分であって、その一方の面部が画像表示部１３の画像表示面に対して略平行とされかつ離間した状態で液晶ディスプレイ１０を正面から見た場合にボタンイメージ１３ａと重なる位置に配置されている。
入力操作部３１における表示部１３に対向する面部とは反対側の面部には、押圧操作をする部分であることを示す、例えば、「ＰＵＳＨ」等の文字が表示されている。
また、この入力操作部３１の幅方向（液晶ディスプレイ１０の長手方向に平行な方向）の寸法は、人間の指の大きさを考慮して決定され、例えば、２ｃｍ程度に設定されている。
【００１５】
支持部３２は、入力操作部３１を液晶ディスプレイ１０の筐体部１１に支持する部分であり、入力操作部３１と同じ合成樹脂材料によって入力操作部３１に連続して形成された板材である。支持部３２は、筐体部１１の上下方向の側面部に形成された曲面と略同じ曲率で側面視において略Ｕ字状となるように曲げられて形成され、筐体部１１を挟み込んだ状態で、例えば、両面テープによって筐体部１１に接着されている。
この支持部３２は、例えば、人間が押圧した場合に撓むような可撓性を備えるとともに、この押圧を解除することによって復元するような弾性を備えている。これによって、入力操作部３１は、ボタンイメージ１３ａに対して接近、離間可能に液晶ディスプレイ１０の筐体部１１に支持されている。
【００１６】
接触部３３は、入力操作部３１における画像表示部１３に対向する側の面部の一部に形成されている。この接触部３３は、画像表示部１３（タッチパネル１４）側に突き出して形成された半円柱状の突起であり、タッチパネル１４に対する接触面が曲面になっている。接触部３３は、入力操作部３１と一体に形成され、入力補助器具３０の筐体部１１に対する装着状態において、画像表示部１３に表示されたボタンイメージ１３ａに対向している。
また、接触部３３は、入力補助器具３０の筐体部１１への装着状態においてタッチパネル１４に離間しており、例えば、入力補助器具３０が外部からの押圧力によって撓むことによってその先端部がタッチパネル１４のボタンイメージ１３ａと重なる領域に接触するようになっている。
【００１７】
以上説明したように、実施例１の入力補助器具３０によれば、以下の効果を得ることができる。
（１）入力操作部３１が予めボタンイメージ１３ａと重なるように入力補助器具３０を液晶ディスプレイ１０の筐体部１１に装着したから、入力時の操作性が向上する。
（２）入力補助器具３０は、液晶ディスプレイ１０の筐体部１１に両面テープ等によって接着されているので、例えば、公知のスタイラスペンに比べて紛失の可能性が少ない。
（３）入力補助器具３０は、入力操作の際、入力操作部３１が押圧されるとその曲げ応力によって支持部３２に枠部１２から離間する方向に力が加わるが、支持部３２は、液晶ディスプレイ１の筐体部１１を挟み込むように筐体部１１に接着されているため、支持部３２の筐体部１１の裏面側に回り込んでいる部分が筐体部１１に引っ掛かり、入力補助器具３０の液晶ディスプレイ１０からの離脱を防止できる。
【００１８】
次に、実施例１の入力補助器具のその他の効果を、比較例と対比して説明する。
なお、以下説明する比較例及びその他の実施例において、本実施例１と同様な機能を果たす部分には、同一の符号又は末尾に統一した符号を付して、重複する説明や図面を適宜省略する。
図４は、液晶ディスプレイを示す正面図であり、（ａ）は、実施例１、（ｂ）は、比較例Ｂ、（ｃ）は、比較例Ｃの液晶ディスプレイをそれぞれ示している。
【００１９】
図４（ａ）に示す実施例１の液晶ディスプレイ１０は、前述のように、ボタンイメージ１３ａが画像表示部１３におけるユーザ寄りの領域に、例えば、４つ表示されており、これらのボタンイメージ１３ａに対して入力補助器具３０がそれぞれひとつずつ、合計４つ設けられている。
これに対し、図４（ｂ）に示す比較例Ｂの液晶ディスプレイ１００は、実施例１のような入力補助器具を備えておらず、ユーザは、指によるタッチ操作によって入力を行うようになっている。このため、比較例Ｂのボタンイメージ１１３ａは、タッチ操作が容易となるように画像表示部１１３の画像表示面において占める面積が実施例１に比べて大きくなっている。
比較例Ｂにおける液晶ディスプレイ１００の画像表示部１１３は、画像表示面の面積が実施例１の画像表示部１３と略同じとされているが、画像表示部１１３における絵柄を自由にデザインできる領域（以下、「フリーデザインエリア」と称する）の縦方向の寸法Ｌ２が、ボタンイメージ１１３ａの面積が大きくなった分、実施例１におけるこれに相当する寸法Ｌ１に比べて短くなっている。したがって、フリーデザインエリアの全体的な面積が実施例１より狭くなっている。
【００２０】
また、図４（ｃ）に示す比較例Ｃの液晶ディスプレイ２００は、タッチパネルを備えておらず、筐体部２１１に機械的な押しボタン２１３ａが設けられている。
この比較例Ｃにおける液晶ディスプレイ２００の画像表示部２１３も、画像表示面の面積が実施例１の画像表示部１３と略同じとされている。この比較例Ｃの液晶ディスプレイ２００は、ボタンイメージが表示されない分、画像表示部２１３におけるフリーデザインエリアの面積が実施例１、比較例Ｂよりも広いが、各押しボタン２１３ａの役割の変更、押しボタンの増設等が困難である。
【００２１】
これらの比較例Ｂ、比較例Ｃに対し、実施例１の入力補助器具３０は、以下のような効果を得ることができる。
（１）実施例１の入力補助器具３０は、入力操作部３１が予めボタンイメージ１３ａに対向して配置されているから、ボタンイメージ１３ａの面積が小さくても入力操作を確実に行うことができる。したがって、ボタンイメージ１３ａの面積を比較例Ｂより小さくすることができ、場合によってはボタンイメージ１３ａを表示しなくてもよい。
このように実施例１の液晶ディスプレイ１０は、ボタンイメージ１３ａの面積を小さくできるので、フリーデザインエリアの縦方向の寸法Ｌ１を比較例Ｂのこれに対応する寸法Ｌ２より長くすることができ、フリーデザインエリアの全体の面積を広くすることができる。また、実施例１のフリーデザインエリアの縦方向の寸法Ｌ１は、比較例Ｃの液晶ディスプレイ２００の画像表示部２１３におけるフリーデザインエリアの縦方向の寸法Ｌ３に比べても極端に短くならない（Ｌ１≒Ｌ３）。
（２）実施例１の入力補助器具３０が備えられた液晶ディスプレイ１０は、例えば、制御部が実行するプログラムを変更することによって、ボタンイメージの追加、役割の変更を比較例Ｃに比べて容易に行うことができる。また、入力補助器具３０は、ボタンイメージ１３ａが追加された場合であっても、液晶ディスプレイ１０に対して容易に増設することができる。
【実施例２】
【００２２】
次に、本発明を適用した入力補助器具の実施例２について説明する。
図５は、実施例２の入力補助器具が装着された液晶ディスプレイを示す斜視図である。
実施例２の液晶ディスプレイ４０は、実施例１と異なり筐体部４１の上下方向の側面部が平面となっている。
また、ユーザから見た筐体部４１の右側の角部は、短辺方向の側面部と長辺方向の側面部とが、滑らかな連続面（曲面）によって接続されたように形成されている。
【００２３】
実施例２の入力補助器具５０は、ガイドレール５１、入力部５２を備えている。
ガイドレール５１は、入力部５２を液晶ディスプレイ４０の筐体部４１に対し、液晶ディスプレイ４０の縁部に沿って移動可能に支持する案内部である。
ガイドレール５１は、基部５１ａ、支持部５１ｂを備えている。
基部５１ａは、例えば、合成樹脂材料によって形成された帯状の板材であり、その一方の面部（裏面）が、筐体部４１の上下方向の側面部及び右側の側面部に対して、例えば、接着剤等によって貼り付けられることによって筐体部４１に固定されている。
支持部５１ｂは、帯状に形成された基部５１ａの幅方向（液晶ディスプレイ４０の厚さ方向）の両端部に一対設けられ、基部５１ａと一体に形成されている。支持部５１ｂは、基部５１ａの他方の面部（表面）から液晶ディスプレイ４０の外方に向けて突き出して形成されるとともに、その先端部が基部５１ａと略並行に、かつ、互いに接近する方向に曲げられて形成されており、ガイドレール５１は、基部５１ａの長手方向に直交する断面視において、その形状が略Ｃ字状となっている。
【００２４】
入力部５２は、実施例１の入力補助器具３０と同様に、例えば、合成樹脂材料によって形成された帯状の板材であって、その長手方向の中間部分を略９０°屈曲させて側面視において略Ｌ字状となるようにしたものである。
この入力部５２は、嵌合部５２ａ、入力操作部５２ｂを備えている。
嵌合部５２ａは、入力部５２のうち筐体部１１の側面部に対向する部分であり、ガイドレール５１の一対の支持部５１ｂに対して摺動可能に嵌合する一対の突起を備えている。
入力操作部５２ｂは、実施例１の入力操作部３１と同様に液晶ディスプレイ４０の画像表示面に対向して配置されている。この入力操作部５２ｂも、画像表示部４３に対向する側の面部に図示しない接触部が形成され、液晶ディスプレイ４０の画像表示面に接近する方向に押圧されることによって入力操作が行われるようになっている。
【００２５】
実施例２の入力補助器具５０によれば、入力部５２を液晶ディスプレイ４０の縁部に沿って移動（スライド）可能に設けたから、ボタンイメージ４３ａが液晶ディスプレイ４０の表示部１３の縁部沿いに複数表示される場合であっても、入力部５２をボタンイメージ１３ａに合わせて移動させることができる。したがって、入力部５２は、液晶ディスプレイ４０に対する装着個数をボタンイメージ１３ａの表示数に対して少なくすることができ、場合によっては、ひとつでもよい。
【実施例３】
【００２６】
次に、本発明を適用した入力補助器具の実施例３について説明する。
図６は、実施例３の入力補助器具を示す図であり、（ａ）は外観斜視図、（ｂ）は、内部構造を示す平面図である。
実施例３の入力補助器具６０は、装着部６１、スライド部６２を備えている。
装着部６１は、実施例１の入力補助器具３０（入力操作部３１、支持部３２）と同様な板状に形成され、その一部が液晶ディスプレイ１０の筐体部１１に接着されている。なお、この装着部６１は、実施例１の接触部３３に相当するものを備えておらず、接触部３３に相当するものは、後述するスライド部６２に設けられている。
スライド部６２は、装着部６１と同様に合成樹脂材料によって形成され、その内部に装着部６２の先端部分（画像表示部１３と重なる部分）が摺動可能に挿入された鞘状の部材である。これによって、スライド部６２は、装着部６１に対して液晶ディスプレイ１０の筐体部１１の辺部に対し略直交する方向にスライドすることができるようになっており伸縮部として機能する。
【００２７】
装着部６１の先端部分の両側面部には、それぞれひとつずつ突起６１ａが形成されている。また、スライド部６２の内周面部であって、装着部６１の突起６１ａに対向する面部には装着部６１の突起６１ａに嵌合する凹部６２ａが装着部６１の長手方向に沿って複数形成されている。これらの突起６１ａ、凹部６２ａは、スライド部６２の装着部６１に対する摺動を可能とした状態で噛み合っている。
この突起６１ａにより、スライド部６２は、装着部６１に対してスライドさせる際に、適度なクリック感が得られるようになっている。
また、前述のようにスライド部６２は、液晶ディスプレイ１０の画像表示部１３に対向する側の面部に実施例１の入力補助器具と同様な接触部（図示省略）を備えており、この接触部が設けられた面部とは反対側の面部が画像表示部１３に接近する方向に押圧されることによって、タッチパネル１４に対する入力操作が行われ、スライド部６２は、入力操作部として機能する。
【００２８】
実施例３の入力補助器具６０は、スライド部６２を装着部６１に対して液晶ディスプレイ１０の筐体部１１の辺部に対し略直交する方向にスライドさせることによって、接触部の画像表示部１３の縁部（枠部）からの距離を変更させることができるようになっている。したがって、ボタンイメージ１３ａを画像表示部１３の縁部以外の、例えば、中央部寄りの位置に表示することができる。
【００２９】
（変形例）
本発明は、以上説明した各実施例に限定されることなく、種々の変形や変更が可能であって、それらも本発明の技術的範囲内である。
（１）実施例において、入力補助器具が装着された画像表示装置は、ショッピングカートに備えられた液晶ディスプレイであったが、画像表示装置は、これに限らず、例えばＰＤＡ等であってもよい。また、画像表示装置は、これらの可搬性を有するものに限らず、例えば、券売機等の固定されたものであってもよい。
（２）実施例において、タッチパネルの入力位置の検出方式は、感圧式であったが、入力位置の検出方式は、これに限らず、例えば、静電式、赤外線感知式等の他の公知の検出方式であってもよい。
（３）実施例１の入力補助器具は、支持部が筐体部を挟み込めるように、全体的な形状が側面視で略Ｊ字状とされていたが、入力補助器具の形状は、これに限らず、支持部が枠部に接着されるような平板状でもよい。また、筐体部の側面（平面状）に取り付ける場合には、側面視が略Ｌ字状となるように形成して接着してもよい。この場合、単なる平板よりも筐体部に対する接着面積を広くすることができ、入力補助器具の筐体部からの離脱を防止できる。
（４）実施例２におけるガイドレールの設置箇所は、実施例２に例示したものに限らず、例えば、ガイドレールを筐体部の全周に設けて、入力部の移動可能範囲を液晶ディスプレイの全周としてもよい。また、ガイドレールは、筐体部のひとつの側面部にのみ設けられていてもよい。
（５）実施例３の入力補助器具は、実施例１の入力補助器具と同様に、液晶ディスプレイの筐体部に固定されていたが、これに限らず、実施例２の入力補助器具のようにガイドレールに装着して、液晶ディスプレイの各辺に沿って移動可能としてもよい。
（６）実施例の入力補助器具は、押圧操作を行う部分に、例えば、「ＰＵＳＨ」等の文字が表示されていたが、この部分に表示される文字はこれに限らず、ボタンイメージに対して割り当てられた機能に対応した文字（例えば、「次の画面に進む」、「決定」等）を表示してもよい。また、これらの文字が記入されたシール等を貼付してもよい。さらに、入力補助器具を略透明な材料によって形成するとともに、ボタンイメージに文字を含ませてもよい。
【図面の簡単な説明】
【００３０】
【図１】実施例１の入力補助器具が装着された液晶ディスプレイを示す斜視図である。
【図２】図１の液晶ディスプレイを示す拡大図である。
【図３】図１の入力補助器具を示す図である。
【図４】実施例１及び比較例の液晶ディスプレイを示す正面図である。
【図５】実施例２の入力補助器具が装着された液晶ディスプレイを示す斜視図である。
【図６】実施例３の入力補助器具を示す図である。
【符号の説明】
【００３１】
１０  液晶ディスプレイ
３０  入力補助器具
３１  入力操作部
３２  支持部
３３  接触部
５０  入力補助器具
５１  ガイドレール
５２  入力部
６０  入力補助器具
６１  装着部
６２  スライド部
【図１】
2007241367.tif 000003
【図２】
2007241367.tif 000004
【図３】
2007241367.tif 000005
【図４】
2007241367.tif 000006
【図５】
2007241367.tif 000007
【図６】
2007241367.tif 000008